(57)【要約】【課題】地下床スラブ下の土壌採取の作業性を良好にするとともに地下床スラブが薄い場合でも止水性能を確保する。【解決手段】地下床スラブ３に遮水装置４を固定する工程と、遮水装置４の上部に地下水位Ｈより上部まで樹脂パイプ１１および金属パイプ１３を連結する工程と、樹脂パイプ１１内にセメントミルク２１を充填し硬化させる工程と、掘削機１７により前記硬化セメントおよび地下床スラブを掘削し土壌を採取する工程と、土壌採取後、掘削孔および樹脂パイプ内にセメントミルクを充填し硬化する工程と、遮水装置の上部を切断し切断した樹脂パイプおよび硬化セメントを回収する工程と、遮水装置の上部を止水蓋で固着する工程とからなる。【選択図】図１
2004339820.tif 000002
【特許請求の範囲】
【請求項１】
地下床スラブに遮水装置を固定する工程と、遮水装置の上部に地下水位より上部まで樹脂パイプおよび金属パイプを連結する工程と、樹脂パイプ内にセメントミルクを充填し硬化させる工程と、掘削機により前記硬化セメントおよび地下床スラブを掘削し土壌を採取する工程と、土壌採取後、掘削孔および樹脂パイプ内にセメントミルクを充填し硬化する工程と、遮水装置の上部を切断し切断した樹脂パイプおよび硬化セメントを回収する工程と、遮水装置の上部を止水蓋で固着する工程とからなることを特徴とする地下水により被圧された地下床スラブ下の土壌採取方法。
【請求項２】
前記遮水装置は、金属パイプの周囲に形成された固定プレートと、固定プレートの下面に設けられた止水用ゴム板とからなることを特徴とする請求項１記載の地下水により被圧された地下床スラブ下の土壌採取方法。
【請求項３】
前記遮水装置の周囲に筒体を地下床スラブに固定し、筒体の内部に砕石を充填した後、筒体に鉄蓋を固着して補強遮水装置を設け、さらに、補強遮水装の周囲に鉄筋を配置して鉄筋を地下床スラブに固定した後、補強遮水装置の周囲にコンクリートを打設することを特徴とする請求項１記載の地下水により被圧された地下床スラブ下の土壌採取方法。
【発明の詳細な説明】
【０００１】
【発明の属する技術分野】
本発明は、土壌汚染調査のため地下室や地中埋設ピット等の地下水により被圧された地下床スラブ下の土壌を採取する方法に関する。
【０００２】
【従来の技術】
土壌汚染調査のため地下室や地中埋設ピット等の床スラブ下の土壌を採取する必要があり、床スラブのレベルが地下水位以深であった場合、なんらの処置なく床スラブに穴を開けると、被圧された地下水が噴出してしまうことになり、土壌試料の採取が困難になると同時に、場合によっては地下室や地中埋設ピット内が地下水で水浸しになってしまう。そこで、地下水の噴出を避けつつ土壌試料を採取し、また、止水を行うことが必要になる。
【０００３】
従来、こうした場合には、地下床スラブに鉄管を埋め込み、鉄管内にセメントを充填し、その内部を掘削するという方法がとられている。これに近い技術として特許文献１の被圧水下の地盤アンカーの施工法が知られている。
【０００４】
【特許文献１】特開平５−２２２７２４号公報
【０００５】
【発明が解決しようとする課題】
しかしながら、上記従来の方法は、床スラブが薄いなど床スラブに鉄管を埋め込むことが困難な場合には採用できないという問題を有し、また、鉄管を埋め込む方法では、止水性能を十分に確保できないとか、作業性の悪い空間で床はつりをしなければならない、立て込み精度の確保がむずかしい、などの問題を有している。
【０００６】
本発明は、上記従来の問題を解決するものであって、地下床スラブ下の土壌採取の作業性を良好にすることができるとともに地下床スラブが薄い場合でも止水性能を確保することができる、地下水により被圧された地下床スラブ下の土壌採取方法を提供することを目的とする。
【０００７】
【課題を解決するための手段】
そのために本発明の地下水により被圧された地下床スラブ下の土壌採取方法は、地下床スラブに遮水装置を固定する工程と、遮水装置の上部に地下水位より上部まで樹脂パイプおよび金属パイプを連結する工程と、樹脂パイプ内にセメントミルクを充填し硬化させる工程と、掘削機により前記硬化セメントおよび地下床スラブを掘削し土壌を採取する工程と、土壌採取後、掘削孔および樹脂パイプ内にセメントミルクを充填し硬化する工程と、遮水装置の上部を切断し切断した樹脂パイプおよび硬化セメントを回収する工程と、遮水装置の上部を止水蓋で固着する工程とからなることを特徴とする。
また、前記遮水装置は、金属パイプの周囲に形成された固定プレートと、固定プレートの下面に設けられた止水用ゴム板とからなることを特徴とする。
また、前記遮水装置の周囲に筒体を地下床スラブに固定し、筒体の内部に砕石を充填した後、筒体に鉄蓋を固着して補強遮水装置を設け、さらに、補強遮水装の周囲に鉄筋を配置して鉄筋を地下床スラブに固定した後、補強遮水装置の周囲にコンクリートを打設することを特徴とする。
【０００８】
【発明の実施の形態】
以下、本発明の実施の形態を図面を参照しつつ説明する。図１〜図５は、本発明の地下水により被圧された地下床スラブ下の土壌採取方法の１実施形態を説明するための図である。なお、各図面間で同一の構成については同一番号を付けて説明を省略する場合がある。
【０００９】
図１は、ボーリング掘削の全体構成を示す模式的断面図、図２は図１の遮水装置の断面図、図３〜図５は施工工程を説明するための図である。図１には、地上１階の床スラブ１、地下１階の床スラブ２、地下２階の地下床スラブ３が示されている。この地下床スラブ３は、地下水位Ｈより低位置にあり被圧されている。
【００１０】
地下床スラブ３の土壌を採取したい位置には遮水装置４をアンカーボルト５により地下床スラブ３に固定する。遮水装置４は、図２にも示すように、金属パイプ６の周囲に補強壁７により一体に形成された固定プレート８と、固定プレート８の下面に設けられた止水用ゴム板９とから構成されている。止水用ゴム板９は水を含むと膨張する性能をもつ膨潤性ゴムが好適である。金属パイプ６に対向する上方のスラブ１、２には掘削用の開口１０が形成されている。
【００１１】
金属パイプ６の上方には、樹脂パイプ１１を接続リング１２により連結し、さらに、樹脂パイプ１１の上方に金属パイプ１３を接続リング１２により連結して地下水位Ｈの上方まで延設している。地上１階の床スラブ１上にはやぐら１４とボーリングマシン１５が設置されている。パイプ１３、１２、６内にはロッド１６に連結した掘削機１７が配置され、ボーリングマシン１５により掘削機１７を回転させることにより、地下床スラブ３下の土壌２０を掘削機１７内に採取可能にしている。なお、１９は砕石である。
【００１２】
次に、本発明における地下水により被圧された地下床スラブ下の土壌採取方法について説明する。先ず、図２に示すように、地下床スラブ３の土壌を採取したい位置に遮水装置４をアンカーボルト５により地下床スラブ３に固定する。次に、図３に示すように、遮水装置４の金属パイプ６の上部に樹脂パイプ１１を接続リング１２により連結し、樹脂パイプ１１内に高さ１ｍ程度までセメントミルク２１を充填し硬化させる。
【００１３】
次に、図１に示すように、樹脂パイプ１１の上部に金属パイプ１３を接続リング１２により連結し、地下水位Ｈより上の地上１階床スラブ１上にやぐら１４とボーリングマシン１５を設置する。そして、掘削機１７により樹脂パイプ１１および金属パイプ６内の硬化セメントおよび地下床スラブ３を掘削し、掘削機１７内に土壌２０のサンプルを採取し地上に回収する。地下床スラブ３を貫通させると地下水が噴出するが、その地下水は、遮水装置４、樹脂パイプ１１および金属パイプ１３内に溜まり、地下室や地下ピット内を浸すことはない。
【００１４】
土壌採取後、図４に示すように、掘削孔２２及び樹脂パイプ１１内にセメントミルク２３を充填し、セメント硬化後、上部の金属パイプ１３および接続リング１２を取り外し、樹脂パイプ１１の部分を図１のやぐら１４に設けたチェーンブロック（図示せず）で固定し、遮水装置４の上部Ｃ−Ｃ線で樹脂パイプ１１及び硬化セメント２３を電動カッター等により容易に切断する。切断した樹脂パイプ１１及び硬化セメントをチェーンブロックにより地上階に回収すると図５に示す状態になる。そして、遮水装置４の上部すなわち金属パイプ６及び硬化セメント２３の上部には、鉄製の止水蓋２４を固着し地下水の噴出を防止する。
【００１５】
図６は、本発明の他の実施形態を説明するための断面図である。本実施形態は、地下水圧が高い場合または遮水装置を保護する場合に適用される。遮水装置４の周囲に筒体２５を配置しこれをアンカーボルト２６で地下床スラブ３に固定し、内部に砕石２７を充填した後、筒体２５に鉄蓋２８を固着して補強遮水装置２９を設ける。さらに、補強遮水装置２９の周囲に鉄筋３０を配置し、鉄筋３０の端部を地下床スラブ３に固定した後、補強遮水装置２９の周囲にコンクリート３１を打設する。
【００１６】
【発明の効果】
以上の説明から明らかなように、本発明によれば、鉄管埋め込みと比較してドライな工法であるため、土壌採取の作業性を良好にすることができる。また、現場にて切断する部分を樹脂パイプとしたので、ガス切断のような火器を使用することなく安全に施工することができる。特に、地下部分は換気が不十分な場合が想定されるので有効である。さらに、地下床スラブが薄く、床はつりにより床にひびが入って地下水がしみ出る等のおそれがある場合に、鉄管埋め込みに代わる工法として採用できる。
【図面の簡単な説明】
【図１】本発明の１実施形態を説明するための図であり、ボーリング掘削の全体構成を示す模式的断面図である。
【図２】図１の遮水装置の断面図である。
【図３】本発明に係る施工行程を説明するための図である。
【図４】本発明に係る施工行程を説明するための図である。
【図５】本発明に係る施工行程を説明するための図である。
【図６】本発明の他の実施形態を示す断面図である。
【符号の説明】
３…地下床スラブ、４…遮水装置、６、１３…金属パイプ、８…固定プレート
９…止水用ゴム板、１１…樹脂パイプ、１７…掘削機
２１、２３…セメントミルク、２４…止水蓋、２５…筒体、２７…砕石
２９…補強遮水装置、３０…鉄筋、３１…コンクリート
【図１】
2004339820.tif 000003
【図２】
2004339820.tif 000004
【図３】
2004339820.tif 000005
【図４】
2004339820.tif 000006
【図５】
2004339820.tif 000007
【図６】
2004339820.tif 000008